(57)【要約】【課題】貯水タンクの運搬時は取手部を持ちやすい高さにできるとともに、タンク部とタンク蓋を別個に結合手段を設けることなく結合できることを目的とする。【解決手段】貯水タンク２はタンク部３の上方開放部を覆うように設けたタンク蓋４を有し、タンク部３は底部から立設する軸受支柱５と、軸受支柱５の上端に設けた軸受穴部６と、軸受穴部６に軸支されて起伏可能に設けた取手部７を備え、タンク蓋４は軸受支柱５と取手部７が貫通するための開口部８を形成し、タンク蓋４表面に取手部７を倒して収納する収納部９を設けることにより、取手部７が貯水タンク２の着脱時には邪魔にならず、運搬時には持ちやすい高さとなり、便利に使用できるとともに、タンク蓋４の外れや変形を防いで、貯水タンク２の保水機能を保つことができる除湿装置の貯水タンクが得られる。【選択図】図２
2007253138.tif 000002
【特許請求の範囲】
【請求項１】
除湿装置本体の下部に出し入れ自在に設けられる貯水タンクと、この貯水タンクを構成する上方が開放したタンク部と、このタンク部の上方開放部を覆うように設けたタンク蓋とを有し、前記タンク部は底部から立設する軸受け支柱と、この軸受け支柱の上端に設けた軸受け穴部と、この軸受け穴部に軸支されて起伏可能に設けた取手部を備え、前記タンク蓋は前記軸受け支柱と前記取手部が貫通するための開口部を形成し、前記タンク蓋の表面に前記取手部を倒して収納する収納部を設けてなる除湿装置の貯水タンク。
【請求項２】
取手部の脚部間に、タンク蓋の開口部を覆う水漏れ防止板を設けてなる請求項１記載の除湿装置の貯水タンク。
【請求項３】
取手部に設けた水漏れ防止板は、取手部を起立時に水平状態となる請求項２記載の除湿装置の貯水タンク。
【請求項４】
軸受穴部を中心に回動可能に設けたフロートを取手部と略一体に設け、タンク部内の貯水量が増えるにつれ、前記フロートの上昇により、取手部を起立方向に回動させてなる請求項１記載の除湿装置の貯水タンク。
【請求項５】
軸受支柱に直交して一体に立設する補強リブと、取手部の脚部の先端部に設けた係合凹部を有し、前記取手部の起立状態のとき、前記取手部の係合凹部は前記補強リブの先端部に係合してなる請求項１記載の除湿装置の貯水タンク。
【請求項６】
軸受支柱の軸受穴部付近に、この軸受穴部に向かって浅く狭くなる案内溝を設け、この案内溝を取手部の軸部先端が摺動して、前記軸受穴部に嵌入可能に設けた請求項１記載の除湿装置の貯水タンク。
【請求項７】
取手部の軸部の断面を略長円形状とするとともに、軸受支柱の軸受穴部を上部が径小なる略だるま形状となし、前記軸部は前記軸受穴部の下部で回動可能に設け、かつ上部の径小部に嵌合する寸法形状に設け、取手部を起立させて引き上げることにより、取手部に対するタンク部の回動を阻止した請求項１記載の除湿装置の貯水タンク。
【請求項８】
タンク部の側面と軸受支柱との間にタンク部内を分断する水移動抑制板を設け、この水移動抑制板の上部に水平軸を設け、この水平軸を支点にして前記水移動抑制板を回動可能に設けた請求項１記載の除湿装置の貯水タンク。
【発明の詳細な説明】
【技術分野】
【０００１】
本発明は、除湿装置などの本体に着脱自在に設けられ、本体で発生した結露水を受けて貯水する除湿装置の貯水タンクに関する。
【背景技術】
【０００２】
従来、この種の除湿装置の貯水タンクとして、貯水タンクをタンク部とタンク蓋により形成されるものが知られている（例えば、特許文献１参照）。
【０００３】
以下、その除湿装置の貯水タンクについて図９および図１０を参照しながら説明する。
【０００４】
図に示すように、貯水タンク１０１は、上方が開口したタンク部１０２と、タンク部１０２の上方開口を覆うタンク蓋１０３と、タンク部１０２とタンク蓋１０３を結合する一対の結合手段１０４を設け、タンク蓋１０３に注水口１０５と排水口１０６および取手手段１０７を設け構成している。
【特許文献１】特開２００５−２２１１６８号公報（［００４６］、図１、図２）
【発明の開示】
【発明が解決しようとする課題】
【０００５】
このような従来の除湿装置の貯水タンクでは、取手手段１０７がタンク蓋１０３に立設されていることにより、取手手段１０７の高さが制約されて持ちにくいとともに、貯水された重たいタンク部１０２を持ち上げるためには、タンク蓋１０３を強固に形成して、タンク部１０２に結合する結合手段１０４を別個に必要とし、使い勝手が悪いという課題があり、取手手段１０７を持ちやすい高さにできるとともに、タンク蓋１０３に荷重がかからないようにして強固な結合手段１０４を必要としないようにすることが要求されている。
【０００６】
また、貯水タンク１０１の着脱時や運搬時に、タンク蓋１０３の注水口１０５より水漏れすることがあり、注水口１０５より水漏れしないことが要求されている。
【０００７】
本発明は、このような従来の課題を解決するものであり、貯水タンクの運搬時は取手手段１０７を持ちやすい高さにできるとともに、タンク部とタンク蓋を別個に結合手段を設けることなく結合できるとともに、貯水タンクの着脱時や運搬時に注水口より水漏れすることのない貯水装置を提供することのできる除湿装置の貯水タンクを提供することを目的としている。
【課題を解決するための手段】
【０００８】
本発明の除湿装置の貯水タンクは上記目的を達成するために、除湿装置本体の下部に出し入れ自在に設けられる貯水タンクと、この貯水タンクを構成する上方が開放したタンク部と、このタンク部の上方開放部を覆うように設けたタンク蓋とを有し、前記タンク部は底部から立設する軸受支柱と、この軸受支柱の上端に設けた軸受穴部と、この軸受穴部に軸支されて起伏可能に設けた取手部を備え、前記タンク蓋は前記軸受支柱と前記取手部が貫通するための開口部を形成し、前記タンク蓋の表面に前記取手部を倒して収納する収納部を設けてなるものである。
【０００９】
この手段により貯水タンクの運搬時は取手手段１０７を持ちやすい高さにできるとともに、タンク部とタンク蓋を別個に結合手段を設けることなく結合できるとともに、貯水タンクの着脱時や運搬時に注水口より水漏れすることのない貯水装置を提供することのできる除湿装置の貯水タンクが得られる。
【発明の効果】
【００１０】
本発明によれば、取手部が貯水タンクの着脱時には邪魔にならず、運搬時には持ちやすい高さとなり、便利に使用できるとともに、タンク蓋の外れや変形を防いで、貯水タンクの保水機能を保つことができるという効果のある除湿装置の貯水タンクを提供できる。
【００１１】
また、貯水タンクからの水漏れを防ぎ、取手部が外れない安全な構造とすることができる。
【００１２】
また、水漏れ防止板は貯水タンクの運搬時のみ開口部を覆う位置にあり、使用状況に応じて開口部からの水漏れを防止することができる。
【００１３】
また、貯水タンクの貯水を捨てるために、本体から貯水タンクを引き出すときに、フロートの働きで取手部が起立するので、そのまま取手部を掴んで運ぶことができ、便利に使用できる。
【００１４】
また、取手部は起立状態では貯水タンクの補強リブに係合して支持され、取手部のぐらつきもなく、安定して貯水タンクを運搬することができる。
【００１５】
また、取手部の軸部を案内溝に沿って案内することで、軸受穴部に容易に嵌入させることができ、取手部を軸受支柱に組み立てる作業を簡単に行うことができる。
【００１６】
また、取手部を起立状態に固定する操作と、回動して傾倒する操作を、確実かつ容易に行うことができる。
【００１７】
また、水移動抑制板により、貯水タンクの移動時には貯水の波立ちによる水漏れを防止し、タンク部を傾ける排水操作では、水流を妨げずに容易に排水することができる。
【発明を実施するための最良の形態】
【００１８】
本発明の請求項１記載の発明は、除湿装置本体の下部に出し入れ自在に設けられる貯水タンクと、この貯水タンクを構成する上方が開放したタンク部と、このタンク部の上方開放部を覆うように設けたタンク蓋とを有し、前記タンク部は底部から立設する軸受支柱と、この軸受支柱の上端に設けた軸受穴部と、この軸受穴部に軸支されて起伏可能に設けた取手部を備え、前記タンク蓋は前記軸受支柱と前記取手部が貫通するための開口部を形成し、前記タンク蓋の表面に前記取手部を倒して収納する収納部を設けたものであり、取手部を凹形状の収納部に収めることにより、貯水タンクの着脱時に本体に接触せず、取手部を倒したときタンク蓋を押さえるので、タンク蓋の浮き上がりや外れ易さを防止し、凹形状の収納部は、タンク蓋の中央にある開口部付近を補強して変形を防ぐという作用を有する。
【００１９】
また、取手部の脚部間に、タンク蓋の開口部を覆う水漏れ防止板を設けたものであり、貯水タンクを移動するときに、タンク蓋の開口部から波立った水滴が飛び出すのを防止するとともに、取手部の脚部の変形を防ぎ、取手部が軸受支柱から外れないようにするという作用を有する。
【００２０】
また、取手部に設けた水漏れ防止板は、取手部を起立時に水平状態となるものであり、貯水タンクの運搬時に取手部を起立すると取手部の水漏れ防止板はタンク蓋の開口部を覆うように水平状態となるので、開口部からの水漏れを防止することができ、除湿運転時は取手部の水漏れ防止板は垂直になり、タンク蓋の開口部をオープンにして、結露水は流入しやすくなり、また水漏れ防止板に結露水が付着しても貯水タンクに滴下することができるという作用を有する。
【００２１】
また、軸受穴部を中心に回動可能に設けたフロートを取手部と略一体に設け、タンク部内の貯水量が増えるにつれ、前記フロートの上昇により、取手部を起立方向に回動させてなるものであり、貯水タンクを本体に収納した場合に、貯水タンク内に水がないときは、取手部は倒した位置あるが、貯水タンク内の水位が上がると、フロートの浮力で取手部に起立方向の力が働き、貯水タンクを本体から引き出すと、取手部が起立するので、取手部を引き上げる手間がいらないという作用を有する。
【００２２】
また、軸受支柱に直交して一体に立設する補強リブと、取手部の脚部の下端部に設けた係合凹部を有し、前記取手部の起立状態のとき、前記取手部の係合凹部は前記補強リブの先端部に係合してなるものであり、取手部の脚部の係合凹部は補強リブに係合して、取手部が起立状態で位置規制され、貯水タンクの補強リブに取手部を押し付けて半固定状態で運搬することができ、また補強リブは軸受支柱に一体的に支持されているので、取手部の係合凹部から押圧力が加わっても変形せず、取手部のぐらつきを防止できるという作用を有する。
【００２３】
また、軸受支柱の軸受穴部付近に、この軸受穴部に向かって浅く狭くなる案内溝を設け、この案内溝を取手部の軸部先端が摺動して進み、前記軸受穴部に嵌入可能に設けたものであり、取手部の軸部を案内溝に沿って案内することで、軸受穴部に容易に嵌入させることができるという作用を有する。
【００２４】
また、取手部の軸部の断面を略長円形状とするとともに、軸受支柱の軸受穴部を上部が径小なる略だるま形状となし、前記軸部は、前記軸受穴部の下部で回動可能に設け、かつ上部の径小部に嵌合する寸法形状に設け、取手部を起立させて引き上げることにより、取手部に対するタンク部の回動を阻止したものであり、取手部を回動して起立したあと引き上げることにより、軸受穴部の上部の径小部に嵌合するので、前後左右にぶれない起立状態を保つことができ、この状態から取手部を押し下げることで、そのあと回動して倒すことができるという作用を有する。
【００２５】
また、タンク部の側面と軸受支柱との間にタンク部内を分断する水移動抑制板を設け、この水移動抑制板の上部に水平軸を設け、この水平軸を支点にして前記水移動抑制板を回動可能に設けたものであり、水移動抑制板は、タンク部内に貯えられた水の移動を抑制して水面の波立ちを抑制するとともに、貯水の廃棄時はタンク部を傾けることにより、水平軸を支点にタンク部に対して傾くので、貯水の移動を妨げずに排水することができるという作用を有する。
【００２６】
以下、本発明の実施の形態について図面を参照しながら説明する。
【００２７】
（実施の形態１）
図１〜図５に示すように、除湿装置の本体１の下部に着脱可能に設けた貯水タンク２は、上方が開口したタンク部３およびタンク部３の上方開口を覆うように着脱自在に設けられるタンク蓋４で形成されている。タンク部３の略中央の底部に一対の軸受支柱５を対向して立設し、軸受支柱５の上端に設けた軸受穴部６が取手部７の軸部７ｃを回動自在に軸支して、取手部７を起立または折り曲げ可能に支持している。タンク蓋４に軸受支柱５、軸受穴部６および取手部７を貫通する矩形状の開口部８を設けるとともに、取手部７を折り曲げたとき収納する凹形状の収納部９を上面に形成している。
【００２８】
また、取手部７を構成する一対の脚部７ａの間に、タンク蓋４の開口部８を覆う水漏れ防止板１０を一体に設け、水漏れ防止板１０は取手部７が起立時には水平状態となり、取手部７を折り曲げて収納部９に収納するときは垂直状態となる位置関係に設けられている。
【００２９】
また、水漏れ防止板１０の下部にフロート１１を略一体に設け、フロート１１は軸受穴部６を中心に取手部７の対象位置に、かつ取手部７の脚部７ａとは略直角の方向に突設している。したがってタンク部３の水位が上昇するにつれ、フロート１１が浮き上がるので、取手部７が次第に起立する構成としている。
【００３０】
また、軸受支柱５に直交して一体に補強リブ１２を立設するとともに、取手部７の脚部の下端部に係合凹部１３を設け、取手部７の起立状態のときに係合凹部１３が補強リブ１２の先端部１２ａに係合する構成としている。
【００３１】
上記構成において、除湿装置の本体１に貯水タンク２を装着するときは、タンク蓋４の表面に取手部７を倒して収納する凹形状の収納部９を設けているので、取手部７を収納部９に収めることにより、取手部７が本体１に引っかかることなく容易に装着でき、また取手部７がタンク蓋４を上から押さえるように収納されているので、タンク蓋４の浮き上がりや外れ易さを防ぐことができる。さらに凹形状の収納部９は、タンク蓋４の中央にある開口部８付近を補強して変形を防ぐことができるものである。
【００３２】
また、本体１から満水状態の貯水タンク２を取り出して運搬するときは、取手部７の脚部７ａ間にタンク蓋４の開口部８を覆う水漏れ防止板１０を設けているので、タンク蓋４の開口部８から波立った水滴が飛び出すのを防止するとともに、一体化した水漏れ防止板１０が取手部７の脚部７ａを強化して変形を防ぎ、取手部７が軸受支柱５から外れないようにして安全に運搬することができる。
【００３３】
また、取手部７に設けた水漏れ防止板１０は、取手部７を起立時にタンク蓋４の開口部８を覆うように水平状態となるので、開口部８からの水漏れを防止することができ、さらに除湿運転時は取手部７の水漏れ防止板１０は垂直状態となるので、タンク蓋４の開口部８をオープンして結露水が流入しやすくなり、水漏れ防止板１０に結露水が付着しても貯水タンク２内に滴下することができる。
【００３４】
また、図４に示すように、取手部７にフロート１１を取り付けた場合においては、除湿運転を行うと、タンク蓋４の収納部９に収納されている取手部７は、タンク部３に所定の水量が貯水されると、貯水タンク２を本体１より引き出したときに、取手部７がフロート１１の浮力により回動して起立するので、起立した取手部７をそのまま掴んで運搬することができ、貯水タンク２の排水作業が楽にできる。次に、空になった貯水タンクを本体１に装着するときは、取手部７はフロート１１の自重により収納部９に収納されるので、本体１に貯水タンク２を装着する作業も支障なく行えるものである。
【００３５】
このように実施の形態１の発明によれば、貯水タンク２のタンク蓋４が凹状の収納部９を備えたことにより、タンク蓋４の強度が弱い開口部８を補強することができ、取手部７が凹状の収納部９に収まる構成としたことで、貯水タンク２の装着時には取手部７が浮き上がることなく、装着をスムーズに行うことができ、貯水タンク２を持ち運びの際には取手部７が持ちやすい高さになり、満水時の貯水タンク２を安定して運ぶことができるので、安全性が確保できる。
【００３６】
また、取手部７の脚部の間にタンク蓋４の開口部８を覆う水漏れ防止板１０を備えたことにより、金型成型時に取手部７の脚部７ａが内側に変形するのを防いで取手部７が軸受支柱５から容易に外れない構造となり、タンク持ち運びの際にはタンク蓋の開口部から水滴が飛び出すのを防止することができる。
【００３７】
また、軸受穴部６を中心に回動可能に設けたフロート１１を取手部７の水漏れ防止板１０と略一体に備えたことにより、タンク満水時に本体１から貯水タンク２を取り出すと同時に取手部７が自動的に起立するので取手部７を引き上げる手間が省け、タンクが空のときは取手部７は自重で収納部９に収まるので、貯水タンク２を着脱する排水作業を容易に行うことができる。
【００３８】
また、軸受支柱５に直交して一体に立設する補強リブ１２と、取手部７の脚部の下端部に当たり止めとしての係合凹部１３を備えたことにより、取手部７が起立状態のときに係合凹部１３が補強リブ１２の先端部１２ａに当接して、取手部７が半固定状態で保持されるため、貯水タンクを安定して持ち運ぶことができるとともに、補強リブ１２が軸受支柱５に直交して一体的に立設しているため、軸受支柱５のねじれなどの変形を防止することができ、満水の貯水タンク２の重量に耐えて、安全に運搬することができる。
【００３９】
（実施の形態２）
図５および図６に示すように、一対の軸受支柱５、５Ａの上端部に軸受穴部６、６Ａを設け、一方の軸受支柱５Ａの内表面には軸受穴部６Ａの横に、軸受穴部６Ａに至るまで次第に浅く狭くなる案内溝１４を形成している。軸受穴部６Ａに対応する軸部７ｂを取手部７に設け、軸部７ｂの先端を案内溝１４に圧接しながら摺動させて、軸部７ｂを軸受穴部６Ａに導き入れることで、取手部７を軸受支柱５に組み付けできる構成としている。
【００４０】
上記構成において、取手部７を装着するときは、まず軸受支柱５の軸受穴部６に取手部７に設けた軸部７ｂを嵌入し、次に取手部７の軸部７ｂ先端を軸受支柱５Ａに設けた案内溝１４に沿うように摺動させて軸受穴部６Ａへと案内することで、軸受穴部６Ａに容易に嵌入させることができ、組立の作業性が向上することとなる。
【００４１】
（実施の形態３）
図７に示すように、取手部７の軸部７ｃの断面を小判形状または長円形状に設け、軸受支柱５Ｂの軸受穴部６Ｂを上部が突出した逆鍵穴形状に設けている。取手部７の軸部７ｃは、取手部７を水平状態にして、軸受穴部６Ｂの径大なる下部から挿入され、さらに取手部７を水平状態にすると、突出した上部へと移動できるようになっている。また取手部７の軸部７ｃは、軸受穴部６Ｂの下部では回動可能に設け、軸受穴部６Ｂの上部では嵌合して固定される寸法関係に設けられている。
【００４２】
上記構成において、貯水タンク２を運搬するために、水平状態の取手部７を起立させると、取手部７の軸部７ｃが軸受穴部６Ｂの上部に移動して嵌合し、取手部７が貯水タンク２に対し固定され、貯水タンク２が左右に揺れないため、水跳ねによる水漏れを防止することができる。
【００４３】
また、貯水タンク２を本体１に装着するときは、取手部７を押し下げるだけで、取手部７の軸部７ｃは軸受穴部６Ｂの上部から下部に移動するので、さらに取手部７を水平状態に折り曲げてタンク蓋４の収納部９に簡単に収納することができる。
【００４４】
なお、本実施の形態では軸部７ｃの軸受穴部６Ｂからの抜け止め対策として、軸部７ｃに突片７ｄを設け、突片７ｄを挿入するための切欠部６ｄを軸受穴部６Ｂに設けている。
【００４５】
（実施の形態４）
図８に示すように、タンク部３の側面と軸受支柱５との間にタンク部３内を分断するように水移動抑制板１５を配置し、この水移動抑制板１５の上部に水平軸１５ａを設け、この水平軸１５ａを支点にして水移動抑制板１５を回動可能に設けている。水平軸１５ａは軸受支柱５とタンク部３の側壁間に懸架され、水平軸１５ａの高さは、満水時の水位またはそれ以上の高さに設定されている。
【００４６】
上記構成において、貯水タンク２の運搬時に貯水タンク２が揺動した場合でも、水移動抑制板１５がタンク部３内の水の移動を抑制することにより、水面の波立ちを抑えることができるので、貯水タンク２外への水漏れを防ぐことができる。また、貯水タンク２の排水操作時には、貯水タンク２を排水口（図示せず）方向に傾けると、水移動抑制板１５が水平軸１５ａを支点にしてタンク部３に対して傾くので、水移動抑制板１５と軸受支柱５およびタンク部３の底面との間が開いて水路が形成され、貯水の移動を妨げずに容易に排水することができるものである。
【産業上の利用可能性】
【００４７】
結露水をそのまま排水できない場所に取り付けた窓用エアコンやスポットクーラの貯水タンクとしての用途にも適用できる。
【図面の簡単な説明】
【００４８】
【図１】本発明の除湿装置の実施の形態１の貯水タンク装着時の本体の外観斜視図
【図２】同貯水タンクの分解斜視図
【図３】（イ）同水漏れ防止板の水平状態を示す外観斜視図、（ロ）同水漏れ防止板の垂直状態を示す外観斜視図
【図４】（イ）同貯水装置の水位が高いときのフロートと取手部の位置を示す概略断面図、（ロ）同貯水装置が空のときのフロートと取手部の位置を示す概略断面図
【図５】同補強リブの先端部と取手部の係合凹部との係合状態を示す要部説明図
【図６】同実施の形態２の案内溝を示す要部説明図
【図７】（イ）同実施の形態３の取手部起立時の軸受穴部と軸部を示す要部説明図、（ロ）同取手部収納時の軸受穴部と軸部を示す要部説明図
【図８】（イ）同実施の形態４のタンク部の斜視図、（ロ）同水移動抑制板を示す要部説明図
【図９】従来の除湿装置の貯水タンクの外観斜視図
【図１０】同分解斜視図
【符号の説明】
【００４９】
１      本体
２      貯水タンク
３      タンク部
４      タンク蓋
５      軸受支柱
５Ａ    軸受支柱
６      軸受穴部
６Ａ    軸受穴部
７      取手部
７ａ    脚部
７ｂ    軸部
７ｃ    軸部
８      開口部
９      収納部
１０    水漏れ防止板
１１    フロート
１２    補強リブ
１２ａ  先端部
１３    係合凹部
１４    案内溝
１５    水移動抑制板
１５ａ  水平軸
【図１】
2007253138.tif 000003
【図２】
2007253138.tif 000004
【図３】
2007253138.tif 000005
【図４】
2007253138.tif 000006
【図５】
2007253138.tif 000007
【図６】
2007253138.tif 000008
【図７】
2007253138.tif 000009
【図８】
2007253138.tif 000010
【図９】
2007253138.tif 000011
【図１０】
2007253138.tif 000012